(57)【要約】【課題】第１冷媒流路内での冷媒の流れを周方向に均一化しうる二重管式熱交換器を提供する。【解決手段】二重管式熱交換器１は、外管２と、外管２内に間隔をおいて配置された内管３とを備え、外管２と内管３との間の間隙が第１冷媒流路４となるとともに内管３内が第２冷媒流路５となっている。外管２に、冷媒流入パイプ12および冷媒流出パイプ13を、外管２の長さ方向に間隔をおきかつ第１冷媒流路４に通じるように接続する。冷媒流出パイプ13を、冷媒流入パイプ12に対して外管12の周方向にずれた位置に配置する。冷媒流出パイプ13の冷媒流入パイプ12に対する外管２の周方向のずれ角度を、９０〜１８０度とする。【選択図】図２
2012021734.tif 000002
【特許請求の範囲】
【請求項１】
外管と、外管内に間隔をおいて配置された内管とを備え、外管と内管との間の間隙が第１冷媒流路となるとともに内管内が第２冷媒流路となっており、外管に、冷媒流入パイプおよび冷媒流出パイプが、外管の長さ方向に間隔をおきかつ第１冷媒流路に通じるように接続されている二重管式熱交換器において、
冷媒流出パイプが、冷媒流入パイプに対して外管の周方向にずれた位置に配置されている二重管式熱交換器。
【請求項２】
冷媒流出パイプの冷媒流入パイプに対する外管の周方向のずれ角度が、９０〜１８０度である請求項１記載の二重管式熱交換器。
【請求項３】
外管の内周面に、径方向内方に突出しかつ外管の長さ方向にのびる複数の凸条が周方向に間隔をおいて一体に設けられている請求項１または２記載の二重管式熱交換器。
【請求項４】
外管に、長さ方向に間隔をおいて２つの拡管部が形成されており、一方の拡管部に冷媒流入パイプが接続されるとともに、他方の拡管部に冷媒流出パイプが接続されている請求項１〜３のうちのいずれかに記載の二重管式熱交換器。
【発明の詳細な説明】
【技術分野】
【０００１】
この発明は二重管式熱交換器に関し、さらに詳しくは、外管と、外管内に間隔をおいて設けられた内管とを備えている二重管式熱交換器に関する。
【０００２】
この明細書において、「コンデンサ」という用語には、通常のコンデンサの他に凝縮部および過冷却部を有するサブクールコンデンサを含むものとする。
【背景技術】
【０００３】
従来、カーエアコンに用いられる冷凍サイクルとして、コンプレッサ、凝縮部と過冷却部とを有するコンデンサ、エバポレータ、減圧器としての膨張弁、気液分離器、およびコンデンサとエバポレータとの間に配置され、かつコンデンサの過冷却部から出てきた高温の冷媒とエバポレータから出てきた低温の冷媒とを熱交換させる中間熱交換器を備えたものが提案されている（特許文献１参照）。特許文献１記載の冷凍サイクルにおいては、コンデンサの過冷却部において過冷却された冷媒が、中間熱交換器において、エバポレータから出てきた低温の冷媒によりさらに冷却され、これによりエバポレータの冷却性能が向上させられるようになっている。
【０００４】
特許文献１記載の冷凍サイクルに用いられている中間熱交換器は、外管と、外管内に間隔をおいて配置された内管とを備え、外管と内管との間の間隙がコンデンサから出てきた高温冷媒が流れる第１冷媒流路となり、内管内がエバポレータから出てきた低温の冷媒が流れる第２冷媒流路となっており、外管に、冷媒流入パイプおよび冷媒流出パイプが、外管の長さ方向に間隔をおき、かつ第１冷媒流路に通じるように接続されており、冷媒流入パイプおよび冷媒流出パイプが、外管の周方向の同一位置に位置している二重管式熱交換器からなる。
【０００５】
しかしながら、特許文献１記載の二重管式熱交換器の場合、冷媒流入パイプから外管と内管との間の第１冷媒流路内に流入した冷媒が、第１冷媒流路の冷媒流入パイプ側の部分を多く流れることになって冷媒の偏流が生じ、第１冷媒流路内での冷媒の流れが周方向に不均一になる。その結果、第１冷媒流路を流れる高温冷媒と、第２冷媒流路を流れる低温冷媒との熱交換効率が低下するおそれがある。
【先行技術文献】
【特許文献】
【０００６】
【特許文献１】特開２００９−２０４１６５号公報
【発明の概要】
【発明が解決しようとする課題】
【０００７】
この発明の目的は、上記問題を解決し、第１冷媒流路内での冷媒の流れを周方向に均一化しうる二重管式熱交換器を提供することにある。
【課題を解決するための手段】
【０００８】
本発明は、上記目的を達成するために以下の態様からなる。
【０００９】
1)外管と、外管内に間隔をおいて配置された内管とを備え、外管と内管との間の間隙が第１冷媒流路となるとともに内管内が第２冷媒流路となっており、外管に、冷媒流入パイプおよび冷媒流出パイプが、外管の長さ方向に間隔をおきかつ第１冷媒流路に通じるように接続されている二重管式熱交換器において、
冷媒流出パイプが、冷媒流入パイプに対して外管の周方向にずれた位置に配置されている二重管式熱交換器。
【００１０】
2)冷媒流出パイプの冷媒流入パイプに対する外管の周方向のずれ角度が、９０〜１８０度である上記1)記載の二重管式熱交換器。
【００１１】
3)外管の内周面に、径方向内方に突出しかつ外管の長さ方向にのびる複数の凸条が周方向に間隔をおいて一体に設けられている上記1)または2)記載の二重管式熱交換器。
【００１２】
4)外管に、長さ方向に間隔をおいて２つの拡管部が形成されており、一方の拡管部に冷媒流入パイプが接続されるとともに、他方の拡管部に冷媒流出パイプが接続されている上記1)〜3)のうちのいずれかに記載の二重管式熱交換器。
【発明の効果】
【００１３】
上記1)〜4)の二重管式熱交換器によれば、冷媒流出パイプが、冷媒流入パイプに対して外管の周方向にずれた位置に配置されているので、冷媒が、冷媒流入パイプから外管と内管との間の第１冷媒流路内に流入した際に、第１冷媒流路の冷媒流入パイプ側の部分を多く流れることが防止されて冷媒の偏流が発生しなくなり、第１冷媒流路内での冷媒の流れが外管の周方向に均一化される。その結果、第１冷媒流路を流れる高温冷媒と、第２冷媒流路を流れる低温冷媒との熱交換効率が向上する。
【００１４】
上記2)の二重管式熱交換器によれば、第１冷媒流路内での冷媒の流れが外管の周方向に効果的に均一化されるので、第１冷媒流路を流れる高温冷媒と、第２冷媒流路を流れる低温冷媒との熱交換効率が一層向上する。
【００１５】
上記3)の二重管式熱交換器のように、外管の内周面に、径方向内方に突出しかつ外管の長さ方向にのびる複数の凸条が周方向に間隔をおいて一体に設けられている場合、第１冷媒流路内での冷媒の流れが周方向に不均一になりやすいが、この場合であっても、上記1)および2)の構成を有していると、第１冷媒流路内での冷媒の流れが外管の周方向に均一化される。
【図面の簡単な説明】
【００１６】
【図１】この発明による二重管式熱交換器の全体構成を示す長さ方向の中間部を省略した垂直縦断面図である。
【図２】図１のＡ−Ａ線断面図である。
【図３】図１のＢ−Ｂ線拡大断面図である。
【図４】図１の二重管式熱交換器を中間熱交換器として用いた冷凍サイクルを示す図である。
【発明を実施するための形態】
【００１７】
以下、この発明の実施形態を、図面を参照して説明する。
【００１８】
以下の説明において、「アルミニウム」という用語には、純アルミニウムの他にアルミニウム合金を含むものとする。
【００１９】
また、以下の説明において、図１の上下、左右を上下、左右というものとする。
【００２０】
図１はこの発明による二重管式熱交換器の全体構成を示し、図２および図３はその要部の構成を示す。また、図４は図１の二重管式熱交換器を中間熱交換器として用いた冷凍サイクルを示す。
【００２１】
図１および図２において、二重管式熱交換器(1)は、横断面円形のアルミニウム押出形材製外管(2)、および外管(2)内に間隔をおいて同心状に挿入された横断面円形のアルミニウム押出形材製内管(3)を備えており、外管(2)と内管(3)との間の間隙が第１冷媒流路(4)となり、内管(3)内が第２冷媒流路(5)となっている。内管(3)の両端部は外管(2)の両端部よりも外側に突出しており、両突出端部にそれぞれ管継手部材(6)が接合されている。
【００２２】
外管(2)の両端寄りの部分、すなわち両端よりも長さ方向の若干内側部分に、それぞれ拡管部(7)(8)が形成されている。外管(2)における一方の拡管部(7)、ここでは左側の拡管部(7)の管壁には冷媒入口(9)が形成され、同他方の拡管部(8)の管壁には冷媒出口(11)が形成されている。
【００２３】
冷媒入口(9)には第１冷媒流路(4)に通じるアルミニウム製冷媒流入パイプ(12)の一端部が挿入されて拡管部(7)にろう付されている。冷媒出口(11)には第１冷媒流路(4)に通じるアルミニウム製冷媒流出パイプ(13)の一端部が挿入されて拡管部(8)にろう付されている。冷媒流入パイプ(12)および冷媒流出パイプ(13)は、外管(2)の中心線に対して外管(2)の径方向外方にのびており、その先端部には、それぞれ管継手部材(14)が接合されている。
【００２４】
冷媒流出パイプ(13)は、冷媒流入パイプ(12)に対して外管(2)の周方向（中心線の回りの方向）にずれた位置に配置されている。冷媒流出パイプ(13)の冷媒流入パイプ(12)に対する外管(2)の周方向のずれ角度は、ここでは１８０度であるが、当該ずれ角度は９０〜１８０度であることが好ましい。すなわち、冷媒流出パイプ(13)は、冷媒流入パイプ(12)に対して、図２に鎖線Ｘで示す位置と鎖線Ｙで示す位置との間の範囲内に設けられていることが好ましい。  
図３に示すように、外管(2)の内周面に、径方向内方に突出しかつ長さ方向にのびる複数の凸条(15)が周方向に等間隔をおいて一体に設けられている。第１冷媒流路(4)における隣り合う凸条(15)間の間隙が流路部分(4A)となっている。そして、外管(2)の冷媒流入パイプ(12)が接続された拡管部(7)内が、第１冷媒流路(4)の全流路部分(4A)を通じさせかつ冷媒流入パイプ(12)から外管(2)内に流入してきた冷媒を全流路部分(4A)に分流させる冷媒分流部となり、冷媒流出パイプ(13)が接続された拡管部(8)内が、第１冷媒流路(4)の全流路部分(4A)を通じさせかつ全流路部分(4A)を流れてきた冷媒を合流させる冷媒合流部となっている。
【００２５】
図４は、上述した二重管式熱交換器(1)を中間熱交換器として用いた冷凍サイクルを示す。
【００２６】
図４において、冷凍サイクルは冷媒として、たとえばフロン系の冷媒を用いるものであり、コンプレッサ(20)と、凝縮部(22)、気液分離器としての受液器(23)および過冷却部(24)を有するコンデンサ(21)と、エバポレータ(25)と、減圧器としての膨張弁(26)と、コンデンサ(20)から出てきた冷媒とエバポレータ(25)から出てきた冷媒とを熱交換させる中間熱交換器としての二重管式熱交換器(1)とを備えている。二重管式熱交換器(1)の外管(2)に接続された冷媒流入パイプ(12)にコンデンサ(20)の過冷却部(24)からのびる配管が接続され、同じく外管(2)に接続された冷媒流出パイプ(13)に膨張弁(26)にのびる配管が接続される。また、二重管式熱交換器(1)の内管(3)における冷媒流出パイプ(13)側の端部に、エバポレータ(25)からのびる配管が接続され、同じく内管(3)における冷媒流入パイプ(12)側の端部に、コンプレッサ(20)にのびる配管が接続される。冷凍サイクルは、カーエアコンとして車両、たとえば自動車に搭載される。
【００２７】
冷凍サイクルの稼働時には、コンプレッサ(20)で圧縮された高温高圧の気液混相の冷媒は、コンデンサ(21)の凝縮部(22)で冷却されて凝縮させられた後、受液器(23)内に流入して気液２相に分離され、ついで過冷却部(24)に流入して過冷却される。過冷却された液相冷媒は、冷媒流入パイプ(12)を通って二重管式熱交換器(1)の外管(2)の拡管部(7)内に流入し、拡管部(7)を経て第１冷媒流路(4)内に入る。このとき、冷媒流出パイプ(13)が冷媒流入パイプ(12)に対して外管(2)の周方向にずれており、冷媒流出パイプ(13)の冷媒流入パイプ(12)に対する外管(2)の周方向のずれ角度が９０〜１８０度であることから、液相冷媒が、第１冷媒流路(4)の冷媒流入パイプ(12)側の流路部分(4A)を多く流れることが防止されることになり、液相冷媒の偏流の発生が防止される。したがって、第１冷媒流路(4)内での冷媒の流れが周方向に均一化され、その結果第１冷媒流路(4)を流れる高温液相冷媒と、第２冷媒流路(5)を流れる後述する低温気相冷媒との熱交換効率が向上する。
【００２８】
一方、エバポレータ(25)から出てきた気相冷媒は、二重管式熱交換器(1)の第２冷媒流路(5)内に流入する。そして、液相冷媒が第１冷媒流路(4)内を流れる間に第２冷媒流路(5)内を流れる比較的低温の気相冷媒によりさらに冷却される。二重管式熱交換器(1)の第１冷媒流路(4)における隣接する凸条(15)間の全流路部分(4A)を通過した液相冷媒は、拡管部(8)において合流し、冷媒流出パイプ(13)を通って膨張弁(26)に送られる。膨張弁(26)に送られた液相冷媒は、膨張弁(26)において断熱膨張させられて減圧された後エバポレータ(25)に流入し、エバポレータ(25)において気化させられる。一方、二重管式熱交換器(1)の第２冷媒流路(5)を通過した気相冷媒はコンプレッサ(20)に送られる。
【産業上の利用可能性】
【００２９】
この発明による二重管式熱交換器は、コンプレッサ、凝縮部と過冷却部とを有するコンデンサ、エバポレータ、減圧器としての膨張弁、気液分離器、およびコンデンサとエバポレータとの間に配置され、かつコンデンサの過冷却部から出てきた高温の冷媒とエバポレータから出てきた低温の冷媒とを熱交換させる中間熱交換器を備えたカーエアコンを構成する冷凍サイクルにおいて、中間熱交換器として好適に用いられる。
【符号の説明】
【００３０】
(1)：二重管式熱交換器
(2)：外管
(3)：内管
(4)：第１冷媒流路
(5)：第２冷媒流路
(7)(8)：拡管部
(12)：冷媒流入パイプ
(13)：冷媒流出パイプ
【図１】
2012021734.tif 000003
【図２】
2012021734.tif 000004
【図３】
2012021734.tif 000005
【図４】
2012021734.tif 000006